(57)【要約】【課題】自分で手を動かすことが出来なくなった人の手は時間とともに自然と曲がり変形していき、曲がったまま固まってしまいます。それを防ごうというものです。【解決手段】反動性のある芯を手袋に入れることによって、はめ易く曲がっていく手を２４時間伸ばしつづけてくれる。手の変形防止に役立つ。【選択図】  図７
0003116137.tif 000002
【実用新案登録請求の範囲】
【請求項１】
事故や病気で手が動かなくなった場合に、リハビリ、手洗い以外の時間に自然に手が変形していきます。一度曲がって固まってしまうと伸ばすたびに本人は「痛い」のです。そのようにならないためにこの手袋を使います。
手首から５指全体まで覆うことにより動かなくなった指の自然変形を止めることができる。
反動性（適当な硬さを持った、曲げても，もとに戻ろうとする力がつよいもの＝以下反動性と呼ぶ）のある芯により、曲がらないように保つ働きをする。
手が蒸れないように手のひらをカットした。従って手にはめ易く、着脱が容易である。
手首の変形にも対応できるように手首までしっかりカバーする。
【請求項２】
手首から４指全体まで覆うことにより動かなくなった指の自然変形を止めることができる。
反動性のある芯により、曲がらないように保つ働きをする。
手が蒸れないように手のひらをカットした。従って手にはめ易く、着脱が容易である。
手首の変形にも対応できるように手首までしっかりカバーする。
４指のみ対応にした為、左右どちらにも利用できる。
【考案の詳細な説明】
【技術分野】
【０００１】本考案は布手袋に反動性のある比較的硬い芯のあるものを接着した病人用手袋に関する物である。
【背景技術】
【０００２】病気などにより自分では手を動かせなくなった人の手が、時間とともに自然に醜く変形していきます。
【考案の開示】
【考案が解決しようとする課題】
【０００３】動けない手が自然に変形してしまうことを止めようとするものです。
【課題を解決するための手段】
【０００４】芯の材質を反動性のあるものを使用すること。
手袋を２重にしてその間に芯を入れ接着することによって安定して使いやすい形になる。
【考案の効果】
【０００５】反動性のある芯が、自然変形に常に対抗するので、曲がった手を常にもとにもどす作用を１日中してくれる。
【考案を実施するための最良の形態】
【０００６】指がすっぽりはいることで、指と，手首で止めることによって手首の変形をもしっかりサポートすること。
手のひら部分をカットしたので蒸れにくく、着脱が楽であること。
【産業上の利用可能性】
【０００７】病院、老人ホームまたは家庭で手が動けなくなった人に、介護者や、病院，医療関係者が  利用する。
【図面の簡単な説明】
【０００８】
【図１】  本考案の芯の部分（５指対応）
【図２】  本考案の芯の部分（４指対応）
【図３】  手の甲に当たる部分と腕のバンドに当たる部分（５指対応）
【図４】  手の甲に当たる部分と腕のバンドに当たる部分（４指対応）
【図５】  手のひら側指の部分（５指対応）
【図６】  手のひら側指の部分（４指対応）
【図７】  断面拡大図（指部分）
【符号の説明】
【０００９】  １  芯（反動性のある少し硬めのもの）
２  手袋の甲の部分（肌触りの良い布を手に触れる部分に使用する）
３  手のひら部分（肌触りの良い布を手に触れる部分に使用する）
４  手首のベルト部分（両面テープの場合のやわらかい面）
５  手首のベルト止め部分（両面テープの場合の荒い面）
６  パッチ部分（パッチを使用する場合）
（押すとくるっと丸くなり手首に回り固定する。少しの力でまっすぐにもどるもの）
【図１】
0003116137.tif 000003
【図２】
0003116137.tif 000004
【図３】
0003116137.tif 000005
【図４】
0003116137.tif 000006
【図５】
0003116137.tif 000007
【図６】
0003116137.tif 000008
【図７】
0003116137.tif 000009
【手続補正書】
【提出日】平成17年5月12日(2005.5.12)
【手続補正１】
【補正対象書類名】実用新案登録請求の範囲
【補正対象項目名】全文
【補正方法】変更
【補正の内容】
【実用新案登録請求の範囲】
【請求項１】
長めの綿手袋を２枚重ね、手の甲に当たる部分の間に芯を入れる、芯は反動性のあるもので、反動性とは曲げてもすぐ元に戻ろうとする力の強いもの、芯の長さは指先からひじ近くまで、手袋をはめると反動性の芯の働きで指を曲げても元に戻り、手首も同様に曲げてもすぐにまっすぐになる、手の変形防止手袋。
【請求項２】
手が蒸れないように手袋の手のひらから手首までカットしたので蒸れにくく、着脱が容易である。
【請求項３】
親指を除いた４指のみの手袋にしたため、左右どちらの手にも利用できる。手首や指の変形を防ぐ、手の変形防止手袋です。
【手続補正２】
【補正対象書類名】明細書
【補正対象項目名】全文
【補正方法】変更
【補正の内容】
【考案の詳細な説明】
【技術分野】
【０００１】本考案は長い布手袋を２枚重ねその間の手の甲側に反動性のある芯を接着した手袋に関する物である。
芯を手袋に入れたことにより指を常にまっすぐにする働きをして変形防止する。
芯の長さを長くして手首の変形防止にもなる。
自分では手を動かせない人の手は時間とともに曲がり変形していきます。それを防止しようとする手袋です。
【背景技術】
【０００２】削除
【考案の開示】
【考案が解決しようとする課題】
【０００３】長い時間手袋を着けている事ができるように手のひらをカットして蒸れないようにする。他の人に着けてもらう場合もはめやすいような工夫をした。
【課題を解決するための手段】
【０００４】芯の材質を反動性のあるものを使用すること。
手袋を２重にしてその間に芯を入れることで、直接肌に触れる部分は綿であること。
【考案の効果】
【０００５】反動性のある芯が、自然変形に常に対抗するので、手袋をはめることで曲がった手や手首を常にもとにもどす作用を１日中してくれる。
【考案を実施するための最良の形態】
【０００６】指全体をしっかりカバーして指の変形防止。手首まで止めることによって手首の変形を防止すること。
手のひら部分をカットしたので蒸れにくく、着脱が楽であること。
【産業上の利用可能性】
【０００７】病院、老人ホームまたは家庭で、手が動けなくなった人に、介護者や、家族、看護婦，医療関係者が利用する。
【図面の簡単な説明】
【０００８】
【図１】    手袋の芯の部分
【図２】    手袋の手の甲側部分と腕バンド
【図３】    手袋の手のひら側部分
【図４】    ４指手袋の芯の部分
【図５】    ４指手袋の手の甲部分と腕バンド
【図６】    ４指手袋の手のひら側部分
【図７】    指部分。断面拡大図
【符号の説明】
【０００９】  １  芯
２  手袋の甲部分
３  手のひら部分
４  手首のベルト部分
５  手首のベルト止め部分（簡易テープの荒い面）
【手続補正３】
【補正対象書類名】図面
【補正対象項目名】全図
【補正方法】変更
【補正の内容】
【図１】
0003116137.tif 000010
【図２】
0003116137.tif 000011
【図３】
0003116137.tif 000012
【図４】
0003116137.tif 000013
【図５】
0003116137.tif 000014
【図６】
0003116137.tif 000015
【図７】
0003116137.tif 000016
【手続補正書】
【提出日】平成17年8月12日(2005.8.12)
【手続補正１】
【補正対象書類名】実用新案登録請求の範囲
【補正対象項目名】全文
【補正方法】変更
【補正の内容】
【実用新案登録請求の範囲】
【請求項１】
長めの綿手袋を２枚重ね、その間の手の甲側に指先から肘近くまで芯を入れる、芯は反動性のあるもので、反動性とは曲げてもすぐ元に戻ろうとする力の強いもの、芯が入ったことを特徴とする手の変形防止手袋。
【請求項２】
手が蒸れないように手袋の手のひらから手首までカットしたことを特徴とする請求項１記載の手の変形防止手袋。
【請求項３】
肘近くにベルトでしっかり固定できることを特徴とする請求項１記載の手の変形防止手袋。
【手続補正２】
【補正対象書類名】明細書
【補正対象項目名】全文
【補正方法】変更
【補正の内容】
【考案の詳細な説明】
【技術分野】
【０００１】本考案は長い布手袋を２枚重ねその間の手の甲側に反動性のある芯を接着した手袋に関する物である。
芯を手袋に入れたことにより手袋をつけている間、指をまっすぐにする働きをして手の変形を防止する。
芯の長さを指先から肘近くまで長くしてあるので手首の変形防止にもなる。
自分では手を動かせない人の手は時間とともに曲がり変形していきます。
それを防止しようとする手袋です。
【考案の開示】
【考案が解決しようとする課題】
【０００２】手の変形を防ぐこと。
長い時間手袋を着けていても蒸れないようにする。
他の人に着けたり外したりしてもらう場合もやりやすくする。
【課題を解決するための手段】
【０００３】芯は反動性のあるものを使用すること。芯の材質はプラスチックまたはペットで学校で使う下敷きのようなもので反動性が適度に強いもの。
綿手袋を２重にしてその間に芯を入れる。芯は指先から肘近くまでの長さにする。簡単テープのようなものでしっかり固定できるようにベルトを付ける。直接肌に触れる手袋部分は綿でやわらかいクッションのあるものが良い。
手のひらを大きくカットしたことで蒸れにくくする。またカットしてあることで着脱が容易になる。
【考案の効果】
【０００４】反動性のある芯が、自然変形に常に対抗するので、手袋をはめることで曲がった手や手首を常にもとにもどす作用を１日中してくれる。
【考案を実施するための最良の形態】
【０００５】指全体をしっかりカバーして指の変形防止。手首まで止めることによって手首の変形を防止すること。
手のひら部分をカットしたので蒸れにくく、着脱が楽であること。
【産業上の利用可能性】
【０００６】病院、老人ホームまたは家庭で、手が動けなくなった人に、介護者や、家族、看護婦，医療関係者が利用する。
【図面の簡単な説明】
【０００７】
【図１】  指先一部分。横から見た拡大断面図。
【図２】  手袋の芯の部分、平面図。
【図３】  手袋の手の甲側部分平面図。
【図４】  手袋の手のひら部分平面図。
【符号の説明】
【０００８】１  芯
２  手袋の甲
３  手袋の手のひら
４  手首のベルト部分
５  ベルト止め部分（簡単テープの荒い面）
６  指の入る部分
【手続補正３】
【補正対象書類名】図面
【補正対象項目名】全図
【補正方法】変更
【補正の内容】
【図１】
0003116137.tif 000017
【図２】
0003116137.tif 000018
【図３】
0003116137.tif 000019
【図４】
0003116137.tif 000020